(57)【要約】【課題】異臭の要因となる揮発性物質を含有したシーラー剤を廃止しても、高いシール性を確保し熱損失を抑制するとともに各板状断熱材の固定を行い、断熱効率の高い断熱筐体を提供する。【解決手段】断熱筐体３において、各板状断熱材の互いに当接する部位に、シール性および抜け防止を有する固定部材５を介在して組み込むことで、高いシール性を確保しつつ、揮発性を発生するシーラー材を廃止し、商品への異臭移行防止を行うことができる。【選択図】図２
2010266921.tif 000002
【特許請求の範囲】
【請求項１】
冷却或いは加熱される商品を収納する筐体において、複数の板状断熱材を方形状に前記筐体に組み込んで形成する断熱筐体であり、前記各板状断熱材が互いに当接する部位に、シール機能および抜け防止機能を有する固定部材を介在して組み込んだことを特徴とする断熱筐体。
【請求項２】
冷却或いは加熱される商品を収納する筐体において、複数の板状断熱材を方形状に前記筐体に組み込んで形成する断熱筐体であり、前記各板状断熱材が互いに当接する部位に、シール機能および滑り性を有する面状の材料を介在して組み込んだことを特徴とする断熱筐体。
【請求項３】
請求項１または２に記載の断熱筐体を備えた自動販売機。
【発明の詳細な説明】
【技術分野】
【０００１】
本発明は自動販売機や冷凍・冷蔵ショーケース等の本体ケースを形成する断熱筐体に関するものである。
【背景技術】
【０００２】
従来、自動販売機や冷凍・冷蔵ショーケースにおいては、商品を収納する本体ケースの高い断熱性を確保すべく、ウレタン発泡樹脂等にて形成された板状断熱材が使用されている。近年、環境問題の観点から機器の省エネが強く求められるようになり、高効率の電気部品の採用、省エネ制御の採用、断熱性能の向上が行われ消費電力量の削減が注目されている。また商品を購入する顧客の商品に対する安全性の基準が高くなり、中身商品のみではなく商品容器に対しても安全であることをアピールする必要がある。
【０００３】
複数の板状断熱材を方形状に組み込んで形成する断熱筐体において、それぞれの板状断熱材の当接する部位に液状またはゲル状の材料を介在してシール機能を形成しているものがある。（例えば、特許文献１参照）
特許文献１に記載された従来の断熱筐体は、まず、本体ケースの外面を構成する方形状の外箱を形成し、ついで、この外箱の内側に断熱筐体を配置する。この断熱筐体の配置の例として、まず、外箱の上部下面に断熱性の上板を配置し、ついで、外箱の底面に断熱性の底板を配置し、更に外箱の両側面に断熱性の側板を配置し、さらにまた、外箱の背面側に断熱性の背板を配置し、これにより、外箱の内側に方形状の断熱筐体が形成される。その後、各板状断熱材の互いに当接する部位に、接着性およびシール性を有する液状またはゲル状の材料を介在して組み込んだものとなっている。
【先行技術文献】
【特許文献】
【０００４】
【特許文献１】特開２００５−２０２５６０号公報
【発明の概要】
【発明が解決しようとする課題】
【０００５】
しかしながら、前記従来の構成では複数の商品収納室を備えた自動販売機やショーケースで、商品収納室内に液状またはゲル状の材料から揮発する物質により異臭が発生してしまう。さらに商品にも異臭が移行するという課題を有していた。
【０００６】
本発明は、前記従来の発明を解決するもので、液状またはゲル状の材料を用いなくても、高いシール性を確保するとともに各板状断熱材の固定を行った断熱効率の高い断熱筐体を提供することを目的とする。
【課題を解決するための手段】
【０００７】
前記従来の課題を解決するために、本発明の断熱筐体は、各板状断熱材が互いに当接する部位に、シール機能および抜け防止機能を有する固定部材を介在して組み込んだものである。
【０００８】
これにより、断熱筐体のシール性能を確保しながら、商品への異臭移行の防止をすることができる。
【発明の効果】
【０００９】
本発明の断熱筐体は、高いシール性を確保するとともに、各板状断熱材の固定を行い、
商品への異臭移行を防止することができる。
【図面の簡単な説明】
【００１０】
【図１】本発明の実施の形態１における断熱筐体の平面断面図
【図２】同実施の形態における断熱筐体の組み付け斜視図
【図３】同実施の形態における断熱筐体の要部縦断面図
【図４】同実施の形態における断熱筐体の要部縦断面図
【図５】同実施の形態における断熱筐体の要部平面断面図
【図６】本発明の実施の形態２における断熱筐体の平面断面図
【図７】同実施の形態２における断熱筐体の要部平面断面図
【図８】同実施の形態２における断熱筐体の側板断熱材を組み込んだ後の状態を示す要部平面断面図
【発明を実施するための形態】
【００１１】
請求項１に記載の発明は、冷却或いは加熱される商品を収納する筐体において、複数の板状断熱材を方形状に前記筐体に組み込んで形成する断熱筐体であり、前記各板状断熱材が互いに当接する部位に、シール機能および抜け防止機能を有する固定部材を介在して組み込んだものであり、高いシール性を確保するとともに、各板状断熱材の固定を行い、商品への異臭移行を防止することができる。
【００１２】
請求項２に記載の発明は、冷却或いは加熱される商品を収納する筐体において、複数の板状断熱材を方形状に前記筐体に組み込んで形成する断熱筐体であり、前記各板状断熱材が互いに当接する部位に、シール機能および滑り性を有する面状の材料を介在して組み込んだものであり、高いシール性を確保するとともに、各板状断熱材の固定を行い、商品への異臭移行を防止することができる。
【００１３】
請求項３に記載の発明は、請求項１または２に記載の断熱筐体を備えた自動販売機であり、高いシール性を確保するとともに、各板状断熱材の固定を行い、商品への異臭移行を防止した自動販売機を提供することができる。
【００１４】
以下、本発明の実施の形態について、図面を参照しながら説明する。なお、この実施の形態によってこの発明が限定されるものではない。
【００１５】
（実施の形態１）
図１は、本発明の実施の形態１における断熱筐体の平面断面図である。図２は、同実施の形態における断熱筐体の組み付け斜視図である。図３は、同実施の形態における断熱筐体の要部縦断面図である。図４は、同実施の形態における断熱筐体の要部縦面断面図である。図５は、同実施の形態における断熱筐体の要部平面断面図である。
【００１６】
図において、本体ケース１は前面が開放された半密閉構造で、外箱２と断熱筐体３とから構成されるもので、この本体ケース１内には商品を収納するサーペンタインコラム（図示せず）等が収容される。なお、この本体ケース１はその下方に隔離された機械室４を有し、この機械室４に圧縮機（図示せず）等からなる冷却ユニット（図示せず）が設置されている。
【００１７】
断熱筐体３は、背板断熱材３１、底板断熱材３２、上板断熱材３３、側板断熱材３４と３５の各板状断熱材から構成される。これらの各板状断熱材はウレタン発泡等樹脂にて形成され、表面に紙系の面材または樹脂系の面材を備えている。
【００１８】
シール性および抜け防止を有する固定部材５は断面Ｌ字状に形成し、鋼板部品または樹
脂部品で構成され、断熱筐体３の互いに当接する部位に組み込み時に介在したもので、各板状断熱材の固定・結合を行うとともに高いシール性を確保するものである。
【００１９】
この断熱筐体３の配置の例として、まず、外箱２の上部下面に断熱性の上板断熱材３３を配置し、次に外箱２の底面に断熱性の底板断熱材３２を配置し、さらに背面側に断熱性の背板断熱材３１を配置し、さらに外箱の両側面に断熱性の側板断熱材３４と３５を配置し、これにより、外箱の内側に方形状の断熱筐体が形成される。その後、各板状断熱材が互いに当接する部位にシール性および抜け防止を有する鋼板部品または樹脂部品５を介在する。
【００２０】
また、図３において、シール性および抜け防止を有する固定部材５の先端に形成した三角状突起５ａは商品収納ラックを保持するレール６と背板断熱材３１との隙に挿入されている。これにより、シール性および抜け防止を有する固定部材５の先端に形成した三角状突起５ａが商品収納ラックを保持するレール６に接触し、矢印Ａ方向への移動を防止することができるとともに、背板断熱材３１との密着性を確保することができる。
【００２１】
また、図４において、シール性および抜け防止を有する固定部材５の中間部にはＬ形状の切り起こし５ｂが形成され、矢印Ｂ方向に押して変形させることにより、切り起こし５ｂが背板断熱材３１に突き刺さる。これにより、シール性および抜け防止を有する固定部材５の切り起こし５ｂが背板断熱材３１に固定され、図５の矢印Ｃ方向への移動を防止することができる。また、側板断熱材３５との密着性を確保することができる。
【００２２】
図５において、シール性および抜け防止を有する固定部材５の曲げ角度Ｄを９０度以上にすることにより、背板断熱材３１と側板断熱材３５の当接部分の角度が９０度以上となったときにおいてもシール性および抜け防止を有する固定部材５の端部が背板断熱材３１と側板断熱材３５と接触し、シール性を確保することができる。
【００２３】
以上のように構成された断熱筐体３について、以下その動作、作用を説明する。このようにして組み込まれた断熱筐体３は開閉自在の断熱扉７で塞がれ、その内部に設けた冷却装置（図示せず）と加熱装置（図示せず）にり、庫内は所定の温度に冷却または加温するように制御が行われ、商品を所定の温度で保存することができる。各板状断熱材で互いに当接する部位に、シール性および抜け防止を有する固定部材５を組み込み、各板状断熱材同士またはその表面に備えた紙系の面材または樹脂系の面材お接触し、当接する部位の高いシール性を確保し熱損失を抑制するとともに、同時に各板状断熱材の固定を行うことができる。さらに本実施の形態においては、揮発性の接着剤やシーラー剤を用いないので揮発時に発生する異臭を防止することができる。
【００２４】
以上のように、本実施の形態においては、各板状断熱材が互いに当接する部位に、シール性および抜け防止を有する固定部材５を介在して組み込むことで、高いシール性を確保するとともに、各板状断熱材の固定を行い、商品への異臭移行防止、材料合理化を行うことができる。
【００２５】
（実施の形態２）
図６は、本発明の実施の形態２における断熱筐体の平面断面図である。図７は、同実施の形態２における断熱筐体の要部平面断面図である。図８は、同実施の形態２における断熱筐体の側板断熱材を組み込んだ後の状態を示す要部平面断面図である。
【００２６】
以下、本発明による断熱筐体の実施の形態２について、図面を参照しながら説明する。なお、実施の形態１と同一構成については同一符号を付して、詳細な説明を省略する。
【００２７】
図において、シール性および滑り性を有する面状材料８は断熱筐体３の互いに当接する部位に組み込み時に介在したものである。図７において、シール性および滑り性を有する面状材料８の構成は軟質断熱材９の両面に離型紙１０と１１が粘着剤によって接着されている。
【００２８】
シール性および滑り性を有する面状材料８の片側の離型紙１０を剥がし、側板断熱材３５の端部に貼り付けている。反対側の離型紙１１は剥がしていないため表面は滑り性が良い離型紙で覆われている。
【００２９】
一般的に軟質断熱材９は発泡フォーム成形品であり、表面の滑り性は低い。滑り性が低いと側板断熱材３５を組み込む時の組立作業性が悪くなり生産効率が下がってしまう。
【００３０】
側板断熱材３５に貼り付けた軟質断熱材９は背板断熱材３１によって圧縮（Ｅ寸法圧縮）されることによってシール性を確保している。しかし、組み込み時において、圧縮された状態で組み込むと互いの反発力によって組み込みが困難となる。特に圧縮された表面の滑り性が悪いとさらに組み込みが困難となる。そこで、圧縮された表面の滑り性を良くするために、圧縮側は離型紙１１を剥がさずに組み込みを行っている。
【００３１】
以上のように構成された断熱筐体について、以下その動作、作用を説明する。このようにして組み込まれた前記断熱筐体３は開閉自在の断熱扉７で塞がれ、その内部に設けた冷却装置（図示せず）と加熱装置（図示せず）にり、庫内は所定の温度に冷却または加温するように制御が行われ、商品を所定の温度で保存することができる。各板状断熱材が互いに当接する部位に、シール性および滑り性を有する面状材料８を介在して組み込むことで、各板状断熱材各板状断熱材同士またはその表面に備えた紙系の面材または樹脂系の面材を接触し、当接する部位の高いシール性を確保し熱損失を抑制することができる。さらに本実施の形態においては、揮発性の接着剤やシーラー剤を用いないので揮発時に発生する異臭を防止することができる。
【００３２】
以上のように、本実施の形態においては、各板状断熱材が互いに当接する部位に、シール性および滑り性を有する面状材料８を介在して組み込むことで、当接する部位の高いシール性を確保し熱損失を抑制するとともに同時に商品への異臭移行防止、材料合理化を行うことができる。
【産業上の利用可能性】
【００３３】
本発明の断熱筐体は、高いシール性を確保するとともに、各板状断熱材の固定を行い、商品への異臭移行を防止することができるので、食品を収納するあらゆる断熱筐体を備えた自動販売機、冷凍・冷蔵庫および冷凍・冷蔵ショーケース等にも適用できる。
【符号の説明】
【００３４】
３  断熱筐体
５  固定部材
８  面状材料
３１  背板断熱材
３２  底板断熱材
３３  上板断熱材
３４、３５  側板断熱材
【図１】
2010266921.tif 000003
【図２】
2010266921.tif 000004
【図３】
2010266921.tif 000005
【図４】
2010266921.tif 000006
【図５】
2010266921.tif 000007
【図６】
2010266921.tif 000008
【図７】
2010266921.tif 000009
【図８】
2010266921.tif 000010